【事件の表示】
　特許第２８６１４４６号「回路遮断器の電磁引外し装置」の請求項１に係る特許に対する特許異議の申立てについて、次のとおり決定する。
【結　論】
　訂正を認める。
　本件特許異議の申立てを却下する。
【理　由】
(1)手続の経緯
　特許第２８６１４４６号の請求項１ないし３に係る発明についての出願は、平成3年3月7日に特許出願され、平成10年12月11日にその特許の設定登録がなされ、その後、桜井幸太郎より特許異議の申立てがなされ、取消理由通知がなされ、その指定期間内である平成12年2月21日に訂正請求がなされたものである。
(2)訂正の適否についての判断
　ア．訂正の内容
　　　特許権者は、請求項１を削除し、請求項２を請求項１とし、請求項３　　を請求項２とするとともに、この訂正に伴い発明の詳細な説明の記載を　　特許請求の範囲の記載と整合させる訂正を請求するものである。
　イ．訂正の目的の適否、新規事項の有無及び拡張・変更の存否
　　　上記訂正は、特許請求の範囲の減縮に該当し、新規事項の追加に該当　　せず、実質的に特許請求の範囲を拡張又は変更するものではなく、訂正　　後の特許請求の範囲に記載された発明が出願の際独立して特許を受ける　　ことができるものである。　
　ウ．むすび
      以上のとおりであるから、上記訂正は、特許法第１２０条の４第２項　　及び同条第３項で準用する第１２６条第２−４項の規定に適合するので　　、当該訂正を認める。
(3)特許異議申立についての判断
　本件特許の請求項１に係る発明に対して、異議申立人桜井幸太郎より異議申立がなされた。しかしながら、請求項１に係る発明は、訂正の結果削除され、特許異議の申立ての対象が存在しない。　
　よって、結論のとおり決定する。
【異議決定日】
平成１２年３月３日（２０００．３．３）
【訂正の要旨】
訂正の要旨
１．請求項１を削除し、請求項２を請求項１とし、請求項３を請求項２と訂正する。
２．発明の詳細な説明の段落【０００８】の「復帰スプリングを装着するものとする。その場合」を「復帰スプリングのを装着した回路遮断器の電磁引外し装置において」と訂正する。
３．発明の詳細な説明の段落【０００８】の「ストッパを設ければ」を「ストッパを設けることにより」と訂正する。
（５４）【発明の名称】
回路遮断器の電磁引外し装置
（５７）【特許請求の範囲】
　【請求項１】回路遮断器の電流通路を囲んで配置された固定ヨークと、この固定ヨークに対向して回動自在に支持されたアーマチュアと、このアーマチュアをストッパに当接させて前記固定ヨークとの間のギャップを保持させる復帰スプリングとを備え
、前記
回路遮断器の電磁引外し装置において、前記アーマチュアの両側に回動軸を一体形成し、支持部材の一方の側壁に前記回動軸の一方を支承させる軸受穴を設け、また他方の側壁に前記回動軸の他方を支承させる軸受溝を設けるとともに、復帰スプリングを前記軸受溝側に片寄らせて装着し、前記軸受穴を設けた側の前記支持部材の側壁に前記アーマチュアを当接させるストッパを設けた
　【請求項２】アーマチュアの回動軸を挟んで復帰スプリングと反対側に、前記アーマチュアのストッパを設けたことを特徴とする請求項
１
【発明の詳細な説明】
　【０００１】
　【産業上の利用分野】
　この発明は、配線用遮断器や漏電遮断器などの回路遮断器において、電路の過電流状態を検出して回路遮断器を遮断動作させる電磁引外し装置に関する。
　【０００２】
　【従来の技術】
　図７及び図８は従来の上記電磁引外し装置の一般構成を示すもので、図７は電磁引外し装置が組み込まれた回路遮断器の要部（負荷側）の縦断面図、図８はその電磁引外し装置単体の動作時の側面図である。電磁引外し装置は、電流通路となる導体１を囲んで配置されたコ字形断面の固定ヨーク２、固定ヨーク２に対向するアーマチュア３、アーマチュア３を付勢する復帰スプリング４、バイメタル５などからなっている。
　【０００３】
　バイメタル５と固定ヨーク２とは導体１に前後から重ね合わされ、導体１とリベット６により一体に結合されている。アーマチュア３は左右に一体形成された回動軸３ａが回路遮断器のケース７のＵ溝８に嵌め込まれて回動自在に支持されている。復帰スプリング４は固定ヨーク２とアーマチュア３との間に掛け渡されている。アーマチュア３は復帰スプリング４から回動軸３ａを中心に図の時計方向の力を受けて、下端部３ｂがケース７に形成されたストッパ９に当接し、固定ヨーク２との間のギャップＬが保持されている。導体１はＬ形に折り曲げられた基部が接続板１０と重ねられ、ねじ１１でケース７に締め付けられている。接続板１０は図示しない可動接触子に電気的に通じている。また、導体１の上端部は負荷側の端子板１２に接続されている。
　【０００４】
　このような構成において、導体１を大きな過電流が流れると、固定ヨーク２とアーマチュア３との間に働く吸引力により、アーマチュア３は復帰スプリング４に抗して図８に示すように固定ヨーク２に瞬時に吸引され、反時計方向に回動する。このアーマチュア３は上端部３ｃでトリップクロスバー１３を叩き、これを復帰スプリング１４（図７）に抗して反時計方向に回動させる。その結果、開閉機構の鎖錠が解かれ可動接触子が開離する。回路遮断器が遮断すると、導体１の電流が絶たれるため電磁吸引力が消滅し、アーマチュア３は復帰スプリング４の力により図７の状態に復帰する。なお、定格電流の１０倍程度までの過負荷電流が流れると、導体１が発生するジュール熱により加熱されて湾曲したバイメタル５が、上端部の調整ねじ５ａを介してトリップクロスバー１３を回動させ、同様に可動接触子を開離させる。
　【０００５】
　図９はアーマチュア３の上記吸引過程における吸引力及び復帰スプリング４などから生じる負荷力とストロークとの関係を示したものである。吸引力はアーマチュア３が固定ヨーク２に接近するにしたがって急激に大きくなる。また、負荷力は復帰スプリング４が引っ張られて伸びるにしたがい徐々に大きくなり、アーマチュア３がトリップクロスバー１３に当たると瞬間的に増大する。その後、２つの復帰スプリング４，１４の伸びとともに大きくなるが、開閉機構の鎖錠が解除されると急減し、その後はアーマチュア３からの負荷力だけとなって吸引完了まで徐々に大きくなる。
　【０００６】
　アーマチュア３が固定ヨーク２に吸引されるためには、吸引力が負荷力を上回らなければならない。したがって、図９において、アーマチュア３の吸引がＳ１点から始まるときは吸引可能であるが、Ｓ２点から始まるときは吸引不能である。すなわち、アーマチュア３と固定ヨーク２との間のギャップＬのばらつきΔＬの有無により吸引の可否が変化する。このようなことから、ギャップＬの精度が電磁引外し装置の動作特性に大きく影響することが分かる。
　【０００７】
　【発明が解決しようとする課題】
　図７の従来構成においては、固定ヨーク２とアーマチュア３とは別々にケース７に支持され、その間に復帰スプリング４が掛け渡されている。そのため、電磁引外し装置を回路遮断器に組み込むまではこれらの部品を互いに分離した状態で保管しておかなければならず、管理や取扱いが煩雑となっている。また、アーマチュア３は固定ヨーク２と別にケース７に組み込まれるため、固定ヨーク２とアーマチュア３との間の位置関係が定まりにくい。そのため、これらの間のギャップＬのばらつきが大きく、復帰スプリング３を取り替えてそのばらつきを補正するなど動作特性の調整に多くの工数を要している。
　そこで、この発明は、これらの問題を解決し、管理が容易でかつ動作特性の安定した回路遮断器の電磁引外し装置を提供することを目的とするものである。
　【０００８】
　【課題を解決するための手段】
　上記目的を達成するために、この発明は、固定ヨークに支持部材を取り付け、この支持部材にアーマチュアを回動自在に支持させるとともに、このアーマチュアと前記支持部材との間に復帰スプリングを装着
した回路遮断器の電磁引外し装置において
ることにより
また、アーマチュアの回動軸を挟んで復帰スプリングと反対側に、前記アーマチュアのストッパを設けることにより、アーマチュアの回動動作が円滑になる。
　【０００９】
　【作用】
　固定ヨークに支持部材を取り付け、この支持部材にアーマチュアを回動自在に支持させるとともに、このアーマチュアと前記支持部材との間に復帰スプリングを装着することにより、これらの部品を組み合わせてユニット化した状態で保管しておくことが可能となり、部品の管理や取扱いが容易となる。
　また、固定ヨークと一体の支持部材にアーマチュアを支承させることにより、固定ヨークとアーマチュアとの間にモールド樹脂のケースが介在していた従来構成に比べて両者の関係位置精度が格段に向上し、ギャップのばらつきが小さくなる。
　【００１０】
　ところで、アーマチュアの両側に回動軸を一体形成し、この回動軸を支持部材の軸受で支承させる場合、この軸受を左右両側とも穴とすると、アーマチュアを支持部材に組み付けるのに支持部材を押し拡げなければならず作業性に問題が生じる。そこで、軸受の一方を穴とし、他方を一部が切り欠かれた溝とすればこの問題は解決するが、その結果として回路遮断器開閉時の振動や衝撃で軸受溝側の回動軸が浮き上がり、それに伴ってアーマチュアがストッパとから外れる危険が生じる。
　【００１１】
　この解決手段として、復帰スプリングを軸受溝側に片寄らせて装着することにより、回動軸を軸受溝の底部に押し付ける復帰スプリングの作用が高まり、回動軸の浮き上がりが有効に阻止される。更に、ストッパを軸受穴を設けた側の支持部材の側壁に設けることにより、仮に回動軸が浮き上がってもストッパと当接する側のアーマチュア下端部はほとんど浮き上がらないため、アーマチュアがストッパから外れる心配が全くない。
　また、アーマチュアの回動軸を挟んで復帰スプリングと反対側にストッパを設けることにより、回動軸に作用する復帰スプリング力と吸引力の力の向きが一致し、回動軸を支承する軸受内での回動軸の位置が安定し、回動軸と軸受との間の遊びの影響がなくなる。
　【００１２】
　【実施例】
　以下、図１〜図６に基づいてこの発明の実施例を説明する。なお、従来例と対応する部分には同一の符号を用いるものとする。ここで、図１は電磁引外し装置の不動作状態の側面図、図２はその動作時の要部側面図、図３はアーマチュアと支持部材の分解斜視図、図４はアーマチュアの回動軸を成形する方法を示す拡大図、図５は回動軸の浮き上がりを説明する側面図、図６はその矢印ＶＩ方向から見た正面図である。
　【００１３】
　図１〜図３において、導体１にはこれを挟んで固定ヨーク２とバイメタル５とが重ね合わされ、これらはリベット６により一体に結合されている。固定ヨーク２は導体１との結合部２ａを除いて左右両側が導体１を囲むコ字形に折り曲げられている。
　固定ヨーク２の外側には板材からなるやはりコ字形の支持部材１５が重ねられ、上下でリベット１６により固着されている。支持部材１５にはアーマチュア３が回動自在に支持されているが、その支持は支持部材１５の図の手前側の側壁の軸受溝１７及び反対側の側壁の軸受穴１８（図３）に、アーマチュア３の両側に一体形成された回動軸３ａが支承されることにより行われている。復帰スプリング４は支持部材１５とアーマチュア３との間に装着されているが、図３に示すように、その一端はアーマチュア３の上端部３ｃのフック穴１９に、また他端はその直下で支持部材１５の上縁部のフック穴２０にそれぞれ掛けられることにより、軸受溝１７側に片寄せられている。
　【００１４】
　アーマチュア３の回動軸３ａを挟んで復帰スプリング４と反対側には、軸受穴１８が設けられた側の支持部材１５の側壁と一体にストッパ９が形成され、復帰スプリング４から図１の反時計方向に力を受けるアーマチュア３は下端部３ｂがストッパ９に当接し、固定ヨーク２との間にギャップＬが保持されている。アーマチュア３は板材から打ち抜かれた後、折り曲げられて図示形状に形成されているが、回動軸３ａは打ち抜き直後は図４に２点鎖線で示すように角柱状となっている。そこで、２つ割りの成形ポンチ２１により図示の通り両側から圧縮され、円筒状に成形されている。
　【００１５】
　従来例と同様に、導体１の上端部には回路遮断器の負荷側の端子板１２がスポット溶接により接続され、Ｌ曲げされた基部は可動接触子に通じる図示しない接続板と重ねられて回路遮断器のケースにねじで締め付けられる。アーマチュア３及びバイメタル５の前方にはトリップクロスバー１３が位置し、このトリップクロスバー１３は爪１３ａが図示しないラッチ部材と係合して回路遮断器の開閉機構を鎖錠している。１４はトリップクロスバー１３を図の反時計方向に付勢する復帰スプリングである。
　【００１６】
　このような電磁引外し装置において、導体１を流れる電流が過負荷状態になると導体１のジュール熱で加熱されたバイメタル５が図１の右方向に大きく湾曲し、先端の調整ねじ５ａを介してトリップクロスバー１３を押し、これを図の時計方向に回動させる。これにより、爪１３ａの上記係合が外れ、開閉機構の鎖錠が解かれて可動接触子の開離が行われる。また、導体１を短絡電流のような大きな過電流が流れると、アーマチュア３は復帰スプリング４に抗して下端部３ｂが固定ヨーク２に吸引され、図２に示すように上端部３ｃでトリップクロスバー１３を叩く。これにより同様に可動接触子の開離が行われる。
　【００１７】
　上記構成において、アーマチュア３は回動軸３ａを介して固定ヨーク２と一体の支持部材１５に支持され、復帰スプリング４はアーマチュア３と支持部材１５との間に装着されている。したがって、これらの部品は導体１や端子板１２も含めて電磁引外し装置単体でユニット化した状態で保管しておくことが可能であり、部品の管理や取扱いが容易である。
　また、固定ヨーク２と一体の支持部材１５にアーマチュアが支持されているので、アーマチュア３が固定ヨーク２とは別にケース７に組み込まれる構成に比べて両者の関係位置精度が高く、ギャップＬのばらつきが小さくなる。
　【００１８】
　更に、アーマチュア３の回動軸３ａを支承する軸受は一方が軸受溝１７となっている。したがって、アーマチュア３を支持部材１５に組み付ける際には、軸受穴１８に回動軸３ａを挿入した後、反対側の回動軸３ａを軸受溝１７に嵌め込めばよく、支持部材１５の側壁間を押し広げる必要がない。しかし、回路遮断器の開閉時に生じる振動や衝撃で、回動軸３ａが軸受溝１７内で図５及び図６に示すように浮き上がる危険がある。この浮き上がりが大きくて、回動車由３ａが軸受穴１７から外れたり、またアーマチュア３の下端部３ｂがストッパ９から外れたりすると電磁引外し装置が動作不能となる。
　【００１９】
　その点、図示構成においては、復帰スプリング４が軸受溝１７側に片寄せられて装着されているため、例えば復帰スプリング４が支持部材１５の幅方向の中央部に装着されている場合に比べて回動軸３ａを軸受溝１７の底部に押し付けようとする復帰スプリング４のばね作用が強く、その分回動軸３ａの浮き上がりが少ない。また、軸受溝１７内で回動軸３ａが浮き上がっても、アーマチュア３の下端部３ｂは図６から分かるように軸受穴１８側ではほとんど浮き上がらないため、ストッパ９が軸受穴１８の側で支持部材１５の側壁に形成された図示構成ではアーマチュア３がストッパ９から外れる心配は全くない。アーマチュア３がストッパ９から外れないようにするには、ストッパ９の高さ寸法Ｈ（図５）を大きくしてもよいが、そのようにするとストッパ９が細長くなって強度が低下するという問題が生じる。図示構成では上記寸法Ｈが小さくても外れることがなく、強度上も有利である。
　【００２０】
　また、図示構成ではアーマチュア３のストッパ９が、回動軸３ａを挟んで復帰スプリング４と反対側に形成されているので、回動軸３ａに作用する復帰スプリング４のばね力と固定ヨーク２の吸引力の向きが共に図１の左向きとなって一致し、復帰スプリング４により軸受溝１７及び軸受穴１８の図の左側の壁に押し付けられていた回動軸３ａは、吸引時もそのままの位置で回動を開始する。したがって、回動軸３ａと軸受溝１７や軸受穴１８との間に遊びがあっても回動軸３ａの位置ずれが生じず、回動軸３ａが円筒状にプレス成形されていることと相まって動作が円滑となる。
　【００２１】
　【発明の効果】
　この発明によれば、固定ヨークと一体の支持部材にアーマチュアを支持させることにより、電磁引外し装置を回路遮断器外でユニット化できるので部品の管理や取扱いが容易となり、また固定ヨークとアーマチュアとの関係位置精度が向上して動作特性のばらつきが小さくなる。更に、アーマチュアの回動軸を支承させる支持部材の軸受の一方を溝とし他方を穴とした場合に、復帰スプリングを軸受溝側に片寄らせて装着し、アーマチュアのストッパを軸受穴側に設けることにより、アーマチュアが浮き上がってストッパから外れる心配がなくなる。また、アーマチュアの回動軸を挟んで復帰スプリングと反対側にアーマチュアのストッパを設けることにより、アーマチュア動作が円滑となって動作特性が安定する。
【図面の簡単な説明】
　【図１】
　この発明の実施例を示す電磁引外し装置の不動作状態の側面図である。
　【図２】
　図１の電磁引外し装置の動作時の要部側面図である。
　【図３】
　図１における支持部材とアーマチュアの分解斜視図である。
　【図４】
　図１におけるアーマチュア回動軸の成形方法を示す拡大図である。
　【図５】
　アーマチュアの浮き上がりを説明するための電磁引外し装置の側面図である。
　【図６】
　図５の矢印ＶＩ方向から見た正面図である。
　【図７】
　従来例を示すための回路遮断器の要部縦断面図である。
　【図８】
　図７における電磁引外し装置の動作時の側面図である。
　【図９】
　電磁引外し装置の一般的な負荷特性を示す線図である。
　【符号の説明】
　　２　固定ヨーク
　　３　アーマチュア
　　３ａ　回動軸
　　４　復帰スプリング
　　９　ストッパ
　１５　支持部材
　１７　軸受溝
　１８　軸受穴